(57)【特許請求の範囲】
【請求項１】
相異なるフォーマットの第１ないし第３光ディスクにそれぞれ適した波長λ１，λ２，λ３の第１ないし第３光を出射し、前記第１ないし第３光ディスクから反射された光を受光して検出できる光ユニットと、前記光ユニット側から入射される前記第１ないし第３光を集束して光ディスクに光スポットを結ばせる対物レンズと、前記対物レンズの入射瞳側に配され、前記第２及び第３光に対してそれぞれ位相差変化を生じさせる第１及び第２位相補正器とを含み、
前記第１及び第２位相補正器は、複数の位相遅延領域を備え、
前記第１位相補正器は、波長λ１，λ３の第１及び第３光がそれぞれ前記第１位相補正器の一つの位相遅延領域を通過する時の位相遅延量をａ，ａ’、これに隣接した第１位相補正器の他の位相遅延領域を通過する時の位相遅延量をｂ，ｂ’とする時、次の式（１）、
（ａ−ｂ）＝ｍλ１
（ａ’−ｂ’）＝ｎλ３      （１）
ここで、ｍ，ｎは整数±０．０７以内の数である。
を満足し、前記第２位相補正器は波長λ１，λ２の第１及び第２光がそれぞれ前記第２位相補正器の一つの位相遅延領域を通過する時の位相遅延量をｃ，ｃ’、これに隣接した第２位相補正器の他の位相遅延領域を通過する時の位相遅延量をｄ，ｄ’とする時、次の式（２）、
（ｃ−ｄ）＝ｐλ１
（ｃ’−ｄ’）＝ｑλ２      （２）
ここで、ｐ，ｑは整数±０．０７以内の数である。
を満足することを特徴とする互換型光ピックアップ。
【請求項２】
前記第１位相補正器には階段型構造よりなるパターンが形成されており、前記パターンの階段が前記位相遅延領域にそれぞれ対応し、前記階段の段差ｓ１は前記波長λ１，λ３に対して前記第１位相補正器をなす光学媒質の屈折率をそれぞれｎ１，ｎ３とする時、次の式、
（ｎ１−ｎ０）ｓ１＝ｍλ１
（ｎ３−ｎ０”）ｓ１＝ｎλ３
ここで、ｎ０，ｎ０”はそれぞれλ１，λ３に対する空気領域の屈折率である。
を満足することを特徴とする請求項１に記載の互換型光ピックアップ。
【請求項３】
前記第２位相補正器には階段型構造よりなるパターンが形成されており、前記パターンの階段は前記位相遅延領域にそれぞれ対応し、前記階段の段差ｓ２は前記波長λ１，λ２に対して前記第２位相補正器をなす光学媒質の屈折率をそれぞれｎ１’，ｎ２’とする時、次の式、
（ｎ１’−ｎ０）ｓ２＝ｐλ１
（ｎ２’−ｎ０’）ｓ２＝ｑλ２
ここで、ｎ０，ｎ０’はそれぞれλ１，λ２に対する空気領域の屈折率である。
を満足することを特徴とする請求項１に記載の互換型光ピックアップ。
【請求項４】
前記第２光ディスクはＤＶＤ系の光ディスク、第３光ディスクはＣＤ系の光ディスクであり、前記第１光ディスクは第２光ディスクよりも高密度であることを特徴とする請求項１ないし３のうちいずれか一項に記載の互換型光ピックアップ。
【請求項５】
前記第１光ディスクは前記第２光ディスクよりも薄いことを特徴とする請求項４に記載の互換型光ピックアップ。
【請求項６】
前記第１光ディスクはほぼ０．１ｍｍの厚さよりなることを特徴とする請求項５に記載の互換型光ピックアップ。
【請求項７】
前記対物レンズは前記第１光ディスクに適すべく０．７以上の開口数を有することを特徴とする請求項５に記載の互換型光ピックアップ。
【請求項８】
前記対物レンズの作動距離は０．７ｍｍ以上であることを特徴とする請求項７に記載の互換型光ピックアップ。
【請求項９】
前記対物レンズは０．８５の開口数を有することを特徴とする請求項７に記載の互換型光ピックアップ。
【請求項１０】
前記第２及び第３光ディスクのうち少なくともいずれか一つの光ディスクの記録及び／または再生に適すべく、前記第２及び第３光のうち少なくともいずれか一つの光に対して前記対物レンズの有効開口数を変更させる開口フィルタをさらに備えることを特徴とする請求項７に記載の互換型光ピックアップ。
【請求項１１】
前記開口フィルタは、前記第１及び第２位相補正器のうち少なくともいずれか一つの位相補正器に一体に備わったことを特徴とする請求項１０に記載の互換型光ピックアップ。
【請求項１２】
前記開口フィルタは、中心部に入射される光はそのまま進め、前記中心部外側に入射される光の進行を波長により選択的に妨害すべく形成された波長選択性コーティング部材及びホログラムタイプの回折部材のうちいずれか一つであることを特徴とする請求項１０に記載の互換型光ピックアップ。
【請求項１３】
前記第１光は青紫色波長領域の光であり、前記第２光は赤色波長領域の光であり、前記第３光は赤外線波長領域の光であることを特徴とする請求項１ないし３のうちいずれか一項に記載の互換型光ピックアップ。
【請求項１４】
前記λ１はほぼ４００〜４１０ｎｍ、前記λ２はほぼ６３５及び６５０ｎｍのうちいずれか一つの波長、λ３はほぼ７８０ｎｍであることを特徴とする請求項１３に記載の互換型光ピックアップ。
【発明の詳細な説明】
【０００１】
【発明の属する技術分野】
本発明は３波長光のうちいずれか一つの波長光に対してだけ位相補正が可能な位相補正器及びこれを採用した互換型光ピックアップ関する。
【０００２】
【従来の技術】
対物レンズにより集束された光スポットを利用して光ディスクに任意の情報を記録したり、記録された情報を再生する光記録再生機器にて、記録密度は光スポットの大きさにより決定される。光スポットの大きさＳは式（１）のように、光の波長λに比例し、対物レンズの開口数（ＮＡ：Ｎｕｍｅｒｉｃａｌ Ａｐｅｒｔｕｒｅ）に反比例する。
【０００３】
【数１】
0003970747.tif 000002
従って、光ディスクの高密度化のために光ディスクに結ばれる光スポットを小さくするためには、青紫色レーザのような短波長光源と開口数０．６以上の対物レンズの採用が必須である。
【０００４】
また、光ディスクの傾斜により発生するコマ収差Ｗ３１は、光ディスクの傾斜角θ、光ディスクの屈折率ｎ、光ディスクの厚さｄ、対物レンズの開口数ＮＡとする時、式（３）のような関係式で示される。
【０００５】
【数２】
0003970747.tif 000003
ここで、光ディスクの屈折率及び厚さはそれぞれ光入射面から記録面に至る光学媒質、例えば光ディスク基板の屈折率及び厚さを示す。
【０００６】
式（３）を考慮する時、光ディスクの傾斜による公差を確保しようとするなら、高密度化のために対物レンズの開口数を高めることにより光ディスクを薄くする必要がある。ＣＤの場合１．２ｍｍからＤＶＤの場合０．６ｍｍに薄くし、今後の次世代ＤＶＤ、別名ＨＤ−ＤＶＤ（Ｈｉｇｈ Ｄｅｆｉｎｉｔｉｏｎ Ｄｉｇｉｔａｌ Ｖｅｒｓａｔｉｌｅ Ｄｉｓｃ）は０．１ｍｍ厚さになる可能性が高い。もちろん、ＣＤの場合０．４５からＤＶＤの場合０．６に対物レンズの開口数が高まり、ＨＤ−ＤＶＤの場合には対物レンズの開口数が０．８５になる可能性が高い。また、ＨＤ−ＤＶＤの場合には記録容量を考慮する時、青紫色光源が採用される可能性が高い。このように、新しい規格の光ディスクを開発するにあたり、問題になることは既存光ディスクとの互換性である。
【０００７】
例えば、既存光ディスクのうち一回記録用のＤＶＤ−Ｒ及びＣＤ−Ｒは波長により反射率が顕著に落ちるために、６５０ｎｍと７８０ｎｍ波長光源使用が必須である。従って、ＤＶＤ−Ｒ及びＣＤ−Ｒとの互換性を考慮する時、ＨＤ−ＤＶＤ用光ピックアップは３つの波長が異なる光源を採用する必要がある。
【０００８】
一方、波長が異なる複数の光源を採用する互換型光ピックアップは、装置の大きさ、組立て性、価格などのさまざまなメリットを考慮する時、単一の対物レンズを備えることが望ましい。
【０００９】
この時、単一対物レンズで厚さが相異なる光ディスクを互換して記録及び／または再生する時には、光ディスクの厚さ差による球面収差が生じる。従って、単一対物レンズだけを使用しても厚さが相異なる３種類の光ディスクを互換して記録及び／または再生できるべく、互換型光ピックアップは収差を補正するための収差補正素子を必須に備えねばならない。
【００１０】
【発明が解決しようとする課題】
本発明は前記のような点を勘案して案出されたものであり、３つ波長光のうちいずれか一つの波長光に対してだけ入射される光の位相を補正できる位相補正器及びこれを採用した３種類の光ディスクを互換して記録及び／または再生できる互換型光ピックアップを提供するところにその目的がある。
【００１１】
【課題を解決するための手段】
前記目的を達成するための本発明による位相補正器は複数の位相遅延領域を備え、入射される光の相異なる波長をλ１，λ２，λ３とし、波長λ１，λ３の光がそれぞれ一つの位相遅延領域を通過する時の位相遅延量をａ，ａ’、これに隣接した他の位相遅延領域を通過する時の位相遅延量をｂ，ｂ’とする時、次の式、
（ａ−ｂ）＝ｍλ１
（ａ’−ｂ’）＝ｎλ３
ここで、ｍ，ｎは整数±０．０７以内の数である。
を満足することを特徴とする。
【００１２】
本発明の一特徴によれば、前記位相補正器は階段型構造よりなるパターンが形成されており、前記パターンの階段が前記位相遅延領域にそれぞれ対応し、前記階段の段差ｓは、前記波長λ１，λ３に対して位相補正器をなす光学媒質の屈折率をそれぞれｎ１，ｎ３とする時、次の式、
（ｎ１−ｎ０）ｓ＝ｍλ１
（ｎ３−ｎ０”）ｓ＝ｎλ３
ここで、ｎ０，ｎ０”はλ１，λ３に対する空気領域の屈折率である。
を満足することが望ましい。
【００１３】
前記目的を達成するための本発明による互換型光ピックアップは、相異なるフォーマットの第１ないし第３光ディスクにそれぞれ適した波長λ１，λ２，λ３の第１ないし第３光を出射し、前記第１ないし第３光ディスクから反射された光を受光して検出できる光ユニットと、前記光ユニット側から入射される前記第１ないし第３光を集束して光ディスクに光スポットを結ばせる対物レンズと、前記対物レンズの入射瞳側に配され、前記第２及び第３光に対してそれぞれ位相差変化を生じさせる第１及び第２位相補正器とを含み、前記第１及び第２位相補正器は、複数の位相遅延領域を備え、前記第１位相補正器は、波長λ１，λ３の第１及び第３光がそれぞれ前記第１位相補正器の一つの位相遅延領域を通過する時の位相遅延量をａ，ａ’、これに隣接した第１位相補正器の他の位相遅延領域を通過する時の位相遅延量をｂ，ｂ’とする時、次の式（１）、
（ａ−ｂ）＝ｍλ１
（ａ’−ｂ’）＝ｎλ３        （１）
ここで、ｍ，ｎは整数±０．０７以内の数である。
を満足し、前記第２位相補正器は波長λ１，λ２の第１及び第２光がそれぞれ前記第２位相補正器の一つの位相遅延領域を通過する時の位相遅延量をｃ，ｃ’、これに隣接した第２位相補正器の他の位相遅延領域を通過する時の位相遅延量をｄ，ｄ’とする時、次の式（２）、
（ｃ−ｄ）＝ｐλ１
（ｃ’−ｄ’）＝ｑλ２        （２）
ここで、ｐ，ｑは整数±０．０７以内の数である。
を満足することを特徴とする。
【００１４】
ここで、前記第１位相補正器には階段型構造よりなるパターンが形成されており、前記パターンの階段が前記位相遅延領域にそれぞれ対応し、前記階段の段差ｓ１は前記波長λ１，λ３に対して前記第１位相補正器をなす光学媒質の屈折率をそれぞれｎ１，ｎ３とする時、次の式、
（ｎ１−ｎ０）ｓ１＝ｍλ１
（ｎ３−ｎ０”）ｓ１＝ｎλ３
ここで、ｎ０，ｎ０”はそれぞれλ１，λ３に対する空気領域の屈折率である。
を満足することが望ましい。
【００１５】
前記第２位相補正器には階段型構造よりなるパターンが形成されており、前記パターンの階段は前記位相遅延領域にそれぞれ対応し、前記階段の段差ｓ２は前記波長λ１，λ２に対して前記第２位相補正器をなす光学媒質の屈折率をそれぞれｎ１’，ｎ２’とする時、次の式、
（ｎ１’−ｎ０）ｓ２＝ｐλ１
（ｎ２’−ｎ０’）ｓ２＝ｑλ２
ここで、ｎ０，ｎ０’はそれぞれλ１，λ２に対する空気領域の屈折率である。
を満足することが望ましい。
【００１６】
ここで、前記第２光ディスクはＤＶＤ系の光ディスク、第３光ディスクはＣＤ系の光ディスクであり、前記第１光ディスクは第２光ディスクよりも高密度であることが望ましい。
【００１７】
前記第１光ディスクは前記第２光ディスクよりも薄く、例えばほぼ０．１ｍｍの厚さを有することが望ましい。
【００１８】
前記対物レンズは前記第１光ディスクに適すべく０．７以上の開口数を有することが望ましい。
【００１９】
また、前記対物レンズの作動距離は０．７ｍｍ以上であることが望ましい。
【００２０】
前記第２及び第３光ディスクのうち少なくともいずれか一つの光ディスクの記録及び／または再生に適すべく、前記第２及び第３光のうち少なくともいずれか一つの光に対して前記対物レンズの有効開口数を変更させる開口フィルタをさらに備えることが望ましい。
【００２１】
前記開口フィルタは、前記第１及び第２位相補正器のうち少なくともいずれか一つの位相補正器に一体に備わりうる。
【００２２】
前記第１光は青紫色波長領域の光であり、前記第２光は赤色波長領域の光であり、前記第３光は赤外線波長領域の光であることが望ましい。
【００２３】
さらに具体的に、前記λ１はほぼ４００〜４１０ｎｍ、前記λ２はほぼ６３５及び６５０ｎｍのうちいずれか一つの波長、λ３はほぼ７８０ｎｍでありうる。
【００２４】
【発明の実施の形態】
以下、添付された図面を参照して本発明の実施形態を詳細に説明する。
【００２５】
図１を参照すれば、本発明による互換型光ピックアップは、厚さが相異なる第１ないし第３光ディスク５０ａ，５０ｂ，５０ｃを互換して記録及び／または再生すべく、第１ないし第３光ディスク５０ａ，５０ｂ，５０ｃにそれぞれ適した波長の第１ないし第３光１０ａ，１０ｂ，１０ｃを出射して第１ないし第３光ディスク５０ａ，５０ｂ，５０ｃから反射された光を受光して情報信号及び誤差信号を検出できる光ユニット１０と、光ユニット１０側から入射される第１ないし第３光１０ａ，１０ｂ，１０ｃを集束して第１ないし第３光ディスク５０ａ，５０ｂ，５０ｃに光スポットを結ばせる対物レンズ４０と、対物レンズ４０の入射瞳側に配されて第２及び第３光１０ｂ，１０ｃに対してそれぞれ位相変化を生じさせる第１及び第２位相補正器２０，３０とを含んで構成される。
【００２６】
第１光ディスク５０ａは、例えばＨＤ−ＤＶＤ系の光ディスク（以下、ＨＤ−ＤＶＤ）であり、ＤＶＤより薄くありうる。第１光ディスク５０ａがＨＤ−ＤＶＤの場合、第２光ディスク５０ｂはＤＶＤ系の光ディスク（以下、ＤＶＤ）、第３光ディスク５０ｃはＣＤ系の光ディスク（以下、ＣＤ）である。
【００２７】
本発明による互換型光ピックアップがＣＤ，ＤＶＤ，ＨＤ−ＤＶＤを互換して記録及び／または再生すべく設けられた場合、第１光１０ａは青紫色波長領域、例えばほぼ４００〜４１０ｎｍ範囲内の波長光であり、第２光１０ｂは赤色波長領域、例えばほぼ６３５または６５０ｎｍ波長光であり、第３光１０ｃは赤外線波長領域、例えばほぼ７８０ｎｍ波長光であることが望ましい。
【００２８】
対物レンズ４０は高密度の第１光ディスク５０ａを記録及び／または再生するのに適すべく作られ、０．７以上さらに望ましくは、０．８５の開口数を有する。この時、対物レンズ４０は第１光ディスク５０ａより厚い第２及び第３光ディスク５０ｂ，５０ｃの採用時、この対物レンズ４０が第２及び第３光ディスク５０ｂ，５０ｃとぶつかることが生じないように相対的に長い作動距離、例えば０．７ｍｍ以上の作動距離を有することが望ましい。
【００２９】
第２及び第３光ディスク５０ｂ，５０ｃが第１光ディスク５０ａと異なる厚さを有すれば、第２光１０ｂを対物レンズ４０に集束して第２光ディスク５０ｂに光スポットを形成する時、第１光ディスク５０ａと第２光ディスク５０ｂとの厚さ差による球面収差が生じる。同様に、第３光１０ｃを対物レンズ４０に集束して第３光ディスク５０ｃに光スポットを形成する時、第１光ディスク５０ａと第３光ディスク５０ｃとの厚さ差による球面収差が生じる。また、第２及び第３光１０ｂ，１０ｃを対物レンズ４０により集束する時、第１光１０ａとの波長差による色収差が生じる。
【００３０】
第１位相補正器２０は、上記の通り第２光ディスク５０ｂ記録及び／または再生時第２光１０ｂに対して発生する球面収差及び／または色収差などを補正するためのものである。また、第２位相補正器３０は第３光ディスク５０ｃの記録及び／または再生時、第３光１０ｃに対して発生する球面収差及び／または色収差などを補正するためのものである。
【００３１】
第２光ディスク５０ｂ記録及び／または再生時に生じる収差を補正するために、第１位相補正器２０は第２光１０ｂに対してだけ位相差変化を生じさせるべく設けられた複数の位相遅延領域を備える。前記複数の位相遅延領域は、第１及び第３光１０ａ，１０ｃに対して一つの位相遅延領域とそれに隣接した他の位相遅延領域での位相差がそれぞれ式（４）のようにほぼ第１光１０ａの波長λ１と第３光１０ｃの波長λ３との整数倍になるべく設けられたことが望ましい。
【００３２】
すなわち、第１及び第３光１０ａ，１０ｃがそれぞれ第１位相補正器２０の一つの位相遅延領域を通過する時の位相遅延量をａ，ａ’、第１及び第３光１０ａ，１０ｃがそれぞれ第１位相補正器２０の他の位相遅延領域を通過する時の位相遅延量をｂ，ｂ’とする時、隣接した位相遅延領域間の位相差は式（４）を満足することが望ましい。
【００３３】
【数３】
0003970747.tif 000004
ここで、ｍ，ｎは整数±０．０７以内、さらに望ましくは整数±０．０５以内の数である。
【００３４】
この場合、第１位相補正器２０は第２光１０ｂに対しては位相変化を生じさせつつ第１及び第３光１０ｃは位相変化なしにそのまま透過させられる。
【００３５】
類似して、第３光ディスク５０ｃ記録及び／または再生時に生じる収差を補正するために、第２位相補正器３０は入射される第３光１０ｃに対してだけ位相差変化を生じさせるべく設けられた複数の位相遅延領域を備える。前記複数の位相遅延領域は、第１及び第２光１０ａ，１０ｂに対して一つの位相遅延領域とそれに隣接した他の位相遅延領域での位相差がそれぞれほぼ第１光１０ａの波長λ１と第２光１０ｂの波長λ２との整数倍になるべく設けられたことが望ましい。すなわち、第１及び第２光１０ａ，１０ｂがそれぞれ第２位相補正器３０の一つの位相遅延領域を通過する時の位相遅延量をｃ，ｃ’、第１及び第２光１０ａ，１０ｂがそれぞれ第２位相補正器３０の他の位相遅延領域を通過する時の位相遅延量をｄ，ｄ’とする時、隣接した位相遅延領域間の位相差は式（５）を満足することが望ましい。
【００３６】
【数４】
0003970747.tif 000005
ここで、ｐ，ｑは整数±０．０７以内、さらに望ましくは整数±０．０５以内の数である。
【００３７】
この場合、第２位相補正器３０は第３光１０ｃに対しては位相変化を生じさせつつ第１及び第２光１０ａ，１０ｂは位相変化なしにそのまま透過させられる。
【００３８】
具体的な実施形態として、第１及び第２位相補正器２０，３０は図２に示されたように、プレート型光学媒質の少なくとも一面に、第２及び第３光ディスク５０ｂ，５０ｃ互換時に生じうる収差を補正できる位相差変化を生じさせるべく階段型構造よりなるパターンを形成した構造よりなりうる。図２にて参照番号２５は第１及び第２位相補正器２０，３０を製作するのに使われるガラスなどの光学媒質部分であり、参照番号２７は階段型構造のパターンが形成されて光学媒質が除去された空気領域である。また、ｓは階段段差の大きさを意味する。
【００３９】
この時、第１及び第２位相補正器２０，３０それぞれのパターンの階段段差の大きさは、式（４）及び（５）の条件を満足するように、一つの波長光に対してだけ位相差変化を生じさせる作用をし、残りの２波長光をほとんどそのまま透過させるように、ほぼ２波長の整数倍に該当する大きさに形成されたことが望ましい。ここで、前記パターンの階段はそれぞれ前記の位相遅延領域に対応する。
【００４０】
第１位相補正器２０のパターンの階段段差の大きさｓ１は、式（４）に対応するように式（６）を満足することが望ましい。
【００４１】
【数５】
0003970747.tif 000006
ここで、ｎ１，ｎ３は第１位相補正器２０をなす光学媒質領域の第１及び第３光１０ａ，１０ｃの波長λ１，λ３に対する屈折率であり、ｎ０，ｎ０”は第１及び第３光１０ａ，１０ｃの波長λ１，λ３に対する空気領域の屈折率である。
【００４２】
また、第２位相補正器３０のパターンの階段段差の大きさｓ２は、式（５）に対応するように式（７）を満足することが望ましい。
【００４３】
【数６】
0003970747.tif 000007
ここで、ｎ１’，ｎ２’は第２位相補正器３０をなす光学媒質領域の第１及び第２光１０ａ，１０ｂの波長λ１，λ２に対する屈折率であり、ｎ０，ｎ０’は第１及び第２光１０ａ，１０ｂの波長λ１，λ２に対する空気領域の屈折率である。
【００４４】
表１を参照すれば、第１ないし第３光ディスク５０ａ，５０ｂ，５０ｃがそれぞれＨＤ−ＤＶＤ，ＤＶＤ，ＣＤであり、この第１ないし第３光ディスク５０ａ，５０ｂ，５０ｃを記録及び／または再生するのに使われる第１ないし第３光１０ａ，１０ｂ，１０ｃの波長λ１，λ２，λ３がそれぞれ４００ｎｍ，６５０ｎｍ，７８０ｎｍとする時、ガラス材質であるＢＫ７の屈折率はそれぞれ４００ｎｍ，６５０ｎｍ，７８０ｎｍにて１．５３０８４９，１．５１４５２０，１．５１１１８３である。
【００４５】
【表１】
0003970747.tif 000008
図３は第１位相補正器２０の光学媒質としてＢＫ７を使用する時、階段段差ｓ１の大きさによるＨＤ−ＤＶＤ用の第１光１０ａの波長λ１とＣＤ用の第３光１０ｃの波長λ３とについて位相差を示したグラフである。図３のグラフは、第１ないし第３光ディスク５０ａ，５０ｂ，５０ｃのタイプ及び波長条件が表１のような場合について得られたものである。
【００４６】
図３を参照すれば、ＢＫ７に階段段差ｓ１が１．５μｍの階段型パターンを形成するならば、ＨＤ−ＤＶＤ用の第１光１０ａの波長λ１に対しては整数倍に近い０．９９λ１の位相差が生じ、ＣＤ用の第３光１０ｃの波長λ３に対しては整数倍に近い０．９８λ３の位相差が生じ、ＤＶＤ用の第２光１０ｂの波長λ２に対しては０．２０λ２の位相差が生じる。ここで、位相補正器に形成されたパターンの階段段差の大きさが所定波長光に対する位相差の整数倍というのは、その波長光が位相補正器を通過する時、パターン形状による位相差変化が生じないことを意味する。
【００４７】
従って、ＢＫ７を光学媒質として使用して階段段差ｓ１が１．５μｍになるようにパターンを形成すれば、式（４）及び式（６）を満足する第１位相補正器２０を得られる。
【００４８】
また、前記の第１位相補正器２０のように所定の光学媒質に式（７）の条件を満足する階段型構造のパターンを形成すれば、第１及び第２光１０ａ，１０ｂはほとんどそのまま通過させ、第３光１０ｃに対してだけ位相差変化を生じさせる第２位相補正器３０を得られる。第２位相補正器３０の具体的な実施形態については後述する。
【００４９】
上記の通り、第１位相補正器２０に式（６）を満足する階段段差ｓ１を有するパターンを形成すれば、第１及び第３光１０ａ，１０ｃは第１位相補正器２０をほとんどそのまま透過するが、第２光１０ｂは第１位相補正器２０を通過しつつ、そのパターン形状による位相差変化が生じる。また、第２位相補正器３０に式（７）を満足する階段段差ｓ２を有するパターンを形成すれば、第１及び第２光１０ａ，１０ｂは第２位相補正器３０をほとんどそのまま透過するが、第３光１０ｃは第２位相補正器３０を通過しつつ、そのパターン形状による位相差変化が生じる。
【００５０】
従って、パターンの階段段差を２波長の整数倍に製作して一つの波長に対してだけ位相差変化を生じさせる作用をする２種類の位相補正器、すなわち前記第１及び第２位相補正器２０，３０を備えた本発明による互換型光ピックアップは、厚さが相異なる三つの光ディスクを互換採用できる。
【００５１】
再び図１を参照すれば、本発明による互換型光ピックアップは第２光１０ｂに対して対物レンズ４０の有効開口数を変更させるための第１開口フィルタ２５と、第３光１０ｃに対して対物レンズ４０の有効開口数を変更させるための第２開口フィルタ３５とをさらに備えることが望ましい。
【００５２】
第１及び第２開口フィルタ２５，３５は、中心部に入射される光はそのまま進め、その外側のリング部２５ａ，３５ａに入射される光の進行を波長により選択的に妨害して対物レンズ４０の有効開口数を変更させられるように形成された波長選択性コーティング部材、またはホログラムタイプの回折部材であることが望ましい。
【００５３】
第１及び第２開口フィルタ２５，３５は図１に示されたように、リング部２５ａ，３５ａの内側が開口された形にでき、第１及び第２位相補正器２０，３０にそれぞれ一体に備わったことが望ましい。
【００５４】
第１開口フィルタ２５のリング部２５ａは第２光１０ｂの進行だけを遮断し、残りの光、すなわち第１及び第３光１０ａ，１０ｃはそのまま透過させるように設けられる。この時、第１開口フィルタ２５のリング部２５ａの内径は第２光ディスク５０ｂの記録及び／または再生に適した対物レンズ４０の有効開口数を達成できる大きさに形成されたことが望ましい。例えば、第２光ディスク５０ｂがＤＶＤの場合、第１開口フィルタ２５のリング部２５ａの内径は対物レンズ４０の有効開口数０．６を達成できる大きさに形成されたことが望ましい。
【００５５】
第２開口フィルタ３５のリング部３５ａは第３光１０ｃの進行だけを遮断し、残りの光、すなわち第１及び第２光１０ａ，１０ｂはそのまま透過させるように設けられる。この時、第２開口フィルタ３５のリング部３５ａの内径は第３光ディスク５０ｃの記録及び／または再生に適した対物レンズ４０の有効開口数を達成できる大きさに形成されたことが望ましい。例えば、第３光ディスク５０ｃがＣＤの場合、第２開口フィルタ３５のリング部３５ａの内径は対物レンズ４０の有効開口数０．４５を達成できる大きさに形成されたことが望ましい。
【００５６】
図４は本発明の一実施形態による互換型光ピックアップの光学的構成図を概略的に示した図である。光ユニット１０は、第１光ディスク５０ａの記録及び／または再生に適した波長λ１の第１光１０ａを出射する第１光源１１と、第１光ディスク５０ａから反射された光を受光して検出する第１光検出器１５と、第２及び第３光ディスク５０ｂ，５０ｃの記録及び／または再生に適した波長λ２，λ３の第２及び第３光１０ｂ，１０ｃを出射する第１及び第２光モジュール１７，１８と、第１光源１１、第１及び第２光モジュール１７，１８から出射された第１ないし第３光１０ａ，１０ｂ，１０ｃの進路を変換するための第１ないし第３光路変換器１２，１３，１６を含んで構成されうる。
【００５７】
第１光ディスク５０ａとしてＨＤ−ＤＶＤを適用する場合、第１光源１１には、例えば４００ｎｍ波長の第１光１０ａを出射する青紫色半導体レーザを備えられる。
【００５８】
第１光モジュール１７は第２光１０ｂを出射する光源及び第２光ディスク５０ｂから反射された第２光１０ｂを受光する光検出器と一体化した構造である。同様に、第２光モジュール１８は第３光１０ｃを出射する光源及び第３光ディスク５０ｃから反射された第３光１０ｃを受光する光検出器と一体化した構造である。第２及び第３光ディスク５０ｂ，５０ｃとしてＤＶＤ，ＣＤを適用する場合、第１及び第２光モジュール１７，１８の光源にはそれぞれ、例えば６５０ｎｍ波長の第２光１０ｂ及び７８０ｎｍ波長の第３光１０ｃを出射する赤色半導体レーザ、赤外線半導体レーザを備えられる。
【００５９】
ここで、第１及び第２光モジュール１７，１８の構造は本技術分野にて公知の通りであるので、ここではさらに詳細な説明及び図示を省略する。
【００６０】
一方、光ユニット１０は第３光路変換器１３と対物レンズ４０間の光路上には第１光源１１、第１及び第２光モジュール１７，１８から出射された第１ないし第３光１０ａ，１０ｂ，１０ｃを集束してほぼ平行光に変換するコリメーティングレンズ１４をさらに備えることが望ましい。
【００６１】
図４に示された光ユニット１０は本発明による互換型光ピックアップに適用できる構造の一例であり、それ以外にも本発明による互換型光ピックアップは多様な構造の光ユニットが適用されうる。併せて、図４では第１ないし第３光路変換器１２，１３，１６としてビームスプリッタを備えた例を示したが、本発明はそれに限定されず、第１ないし第３光路変換器１２，１３，１６に関する多様な変形が可能である。
【００６２】
前記のような本発明による互換型光ピックアップは次の通り作動される。
【００６３】
まず、第１光ディスク５０ａが採用された場合、光ユニット１０から出射された第１光１０ａは第１及び第２位相補正器２０，３０方向に進む。第１光１０ａは第１及び第２位相補正器２０，３０、第１及び第２開口フィルタ２５，３５をそのまま透過し、対物レンズ４０により集束されて第１光ディスク５０ａの記録面に光スポットを結ぶ。この第１光ディスク５０ａから反射された第１光１０ａは前記と反対経路を経て光ユニット１０に戻る。
【００６４】
第２光ディスク５０ｂが採用された場合、光ユニット１０から出射された第２光１０ｂは第１位相補正器２０に入射される。第２光１０ｂは第１位相補正器２０で球面収差及び／または色収差を補正できるように位相差変化が生じ、第１開口フィルタ２５に入射される。この第２光１０ｂは第１開口フィルタ２５によりその一部が遮断され、そのリング部２５ａの内側に進む部分だけ第１開口フィルタ２５を通過し、第２光ディスク５０ｂを記録及び／または再生するのに適した有効開口数、例えば０．６の開口数を達成できる大きさになる。この第２光１０ｂは第２位相補正器３０及び第２開口フィルタ３５をそのまま通過して対物レンズ４０により集束されて第２光ディスク５０ｂの記録面に光スポットに結ばれる。第２光ディスク５０ｂから反射された第２光１０ｂは前記と反対経路を経て光ユニット１０に戻る。
【００６５】
第３光ディスク５０ｃが採用された場合、光ユニット１０から出射された第３光１０ｃは第１位相補正器２０及び第１開口フィルタ２５をそのまま通過した後、第２位相補正器３０に入射される。第３光１０ｃは第２位相補正器３０で球面収差及び／または色収差を補正できるように位相差変化が生じ、第２開口フィルタ３５によりその一部が遮断される。第３光１０ｃのリング部３５ａの内側に進む部分だけ第２開口フィルタ３５を通過し、第３光ディスク５０ｃを記録及び／または再生するのに適した有効開口数、例えば０．４５の開口数を達成できる大きさになる。この第３光１０ｃは対物レンズ４０により集束されて第３光ディスク５０ｃの記録面に光スポットに結ばれる。第３光ディスク５０ｃから反射された第３光１０ｃは前記と反対経路を経て光ユニット１０に戻る。
【００６６】
以下では、本発明による互換型光ピックアップに適用可能な対物レンズ４０及び第１及び第２位相補正器２０，３０の具体的な実施形態を説明する。対物レンズ４０及び第１及び第２位相補正器２０，３０の具体的な実施形態は第１ないし第３光ディスク５０ａ，５０ｂ，５０ｃがそれぞれＨＤ−ＤＶＤ，ＤＶＤ，ＣＤであり、第１ないし第３光１０ａ，１０ｂ，１０ｃの波長λ１，λ２，λ３をそれぞれ４００ｎｍ，６５０ｎｍ，７８０ｎｍの場合について説明する。
【００６７】
表２は本発明において互換型光ピックアップに適用可能な対物レンズ４０の実施形態についての設計データである。表２は本発明による対物レンズ４０を、波長４００ｎｍ、開口数０．８５、第１光ディスク５０ａ、すなわちＨＤ−ＤＶＤの厚さ０．１ｍｍに対し、光学媒質としてＢａＣＤ５＿ＨＯＹＡ（波長４００ｎｍに対する屈折率がほぼ１．６０６０４８）を用い、入射瞳径がほぼ３．８８６ｍｍ、焦点距離がほぼ２．２８６ｍｍになるべく設計したものである。そして、第１光ディスク５０ａの屈折率が波長４００ｎｍに対してほぼ１．６２３３４３の場合について設計したものである。ここで、光ディスクの屈折率は光入射面から記録面まで光が進行する媒質の有効屈折率を意味する。
【００６８】
【表２】
0003970747.tif 000009
表２において、「ＣＧ」は第１光ディスク５０ａの媒質を意味し、Ｋは第１及び第２非球面Ｓ２，Ｓ３の円錐定数、Ａ，Ｂ，Ｃ，Ｄ，Ｅ，Ｆは非球面係数である。表２にて面を示すＳ２〜Ｓ５は参照のために図５Ａに表示されている。
【００６９】
第１及び第２非球面Ｓ２，Ｓ３に対する非球面式は非球面の頂点からの深さをｚとする時、式（８）の如く示せる。
【００７０】
【数７】
0003970747.tif 000010
ここで、ｈは光軸からの高さ、ｃは曲率、Ａ〜Ｊは非球面係数である。
【００７１】
前記のような設計データを有する対物レンズ４０は１．０８２３３７ｍｍの大きい作動距離を有し、図５Ａ、図５Ｂ及び図５Ｃに示されたように、ＨＤ−ＤＶＤだけではなく、ＤＶＤ，ＣＤ記録及び／または再生時にも光ディスクと対物レンズ４０間の衝突を防止できるほどに充分な作動距離を確保できる。
【００７２】
図５Ａ、図５Ｂ及び図５Ｃはそれぞれ表２の設計データを有する対物レンズ４０に第１ないし第３光１０ａ，１０ｂ，１０ｃを集束してＨＤ−ＤＶＤ，ＤＶＤ，ＣＤにフォーカシングする時の光路を示した図である。表３に示されたように、図５Ａ、図５Ｂ及び図５ＣにてＨＤ−ＤＶＤ，ＤＶＤ，ＣＤ採用時に第１ないし第３光１０ａ，１０ｂ，１０ｃに対する対物レンズ４０の焦点距離はそれぞれほぼ２．２８６ｍｍ、２．３５９ｍｍ、２．３７５ｍｍであり、対物レンズ４０の有効径（開口数）は第１ないし第３光１０ａ，１０ｂ，１０ｃに対してそれぞれほぼ３．９ｍｍ（ＮＡ＝０．８５），２．８ｍｍ（ＮＡ＝０．６０），２．１ｍｍ（ＮＡ＝０．４５）である。
【００７３】
【表３】
0003970747.tif 000011
一方、表２の設計データにより製作された対物レンズ４０でＤＶＤ及びＣＤを互換する時に生じる収差（ＯＰＤｒｍｓ）の大きさを説明すれば、表３及び図５Ａに示されたように、対物レンズ４０で波長が４００ｎｍの第１光１０ａを集束して厚さ０．１ｍｍのＨＤ−ＤＶＤ５０ａに光スポットを形成する時には収差がほとんど生じない。一方、表３及び図５Ｂに示されたように、対物レンズ４０で波長が６５０ｎｍの第２光１０ｂを集束して厚さ０．６ｍｍのＤＶＤ５０ｂに光スポットを形成する時には０．６４λ２の収差、表３及び図５Ｂに示されたように、対物レンズ４０で波長が７８０ｎｍの第３光１０ｃを集束して厚さ１．２ｍｍのＣＤ５０ｃに光スポットを形成する時には０．２８λ３の収差が生じる。すなわち、対物レンズ４０でＤＶＤ及びＣＤ互換時には光ピックアップにて一般的に収差許容値として認められる値である０．０３５λを大きく超えた収差が生じる。
【００７４】
しかし、対物レンズ４０の入射瞳側に本発明による第１及び第２位相補正器２０，３０を配すれば、後述するようにＤＶＤ及びＣＤ互換時に生じる収差を顕著に減らせる。
【００７５】
以下では、本発明による第１及び第２位相補正器２０，３０の実施形態及びかかる第１及び第２位相補正器２０，３０を利用すれば、ＤＶＤ及びＣＤ互換時に生じる収差を顕著に減らせることを説明する。
【００７６】
表４は第１及び第２位相補正器２０，３０の具体的な実施形態及びそれによる第１及び第２位相補正器２０，３０を利用する時の残存収差を示す。図６は第１位相補正器２０の光学媒質としてＥＦＤ４＿ＨＯＹＡを使用する時、階段段差ｓ１の大きさによるＨＤ−ＤＶＤ用の第１光１０ａの波長λ１とＣＤ用の第３光１０ｃの波長λ３とに関して位相差を示したグラフである。図７は第２位相補正器３０の光学媒質としてＥＦＤ８＿ＨＯＹＡを使用する時、階段段差ｓ２の大きさによるＨＤ−ＤＶＤ用の第１光１０ａの波長λ１とＤＶＤ用の第２光１０ｂの波長λ２とについて位相差を示したグラフである。表４、図６及び図７のグラフは、ＨＤ−ＤＶＤ用の第１光１０ａの波長λ１を４００ｎｍ、ＣＤ用の第３光１０ｃの波長λ３は７８０ｎｍ、ＤＶＤ用の第２光１０ｂの波長λ２は６５０ｎｍとして得られた。
【００７７】
【表４】
0003970747.tif 000012
表４及び図６を参照すれば、第１位相補正器２０の光学媒質としてＥＦＤ４＿ＨＯＹＡを使用する場合、階段段差ｓ１が７．４１μｍである時、ＨＤ−ＤＶＤ用の第１光１０ａの波長λ１に対しては整数倍に近い０．９９λ１の位相差が生じ、ＣＤ用の第３光１０ｃの波長λ３に対しては整数倍に近い０．０１λ３の位相差が生じ、ＤＶＤ用の第２光１０ｂの波長λ２に対しては０．５３λ２の位相差が生じる。
【００７８】
このように、第１位相補正器２０を光学媒質としてＥＦＤ４＿ＨＯＹＡを使用して階段段差ｓ１を７．４１μｍ、パターンを４階段構造に形成すれば、ＨＤ−ＤＶＤ用の第１光１０ａとＣＤ用の第３光１０ｃとは第１位相補正器２０を通過しつつ位相差変化がほとんど生じない一方で、ＤＶＤ用の第２光１０ｂは第１位相補正器２０を通過しつつ位相差変化が生じる。従って、第１位相補正器２０にＤＶＤ用の第２光１０ｂに対して収差を相殺できる位相差変化を生じさせるパターンを形成すれば、ＤＶＤ用の第２光１０ｂに対する収差の補正が可能である。
【００７９】
表４及び図７を参照すれば、第２位相補正器３０の光学媒質としてＥＦＤ８＿ＨＯＹＡを使用する場合、階段段差ｓ２が３．８３μｍである時、ＨＤ−ＤＶＤ用の第１光１０ａの波長λ１に対しては整数倍に近い０．０１λ１の位相差が生じ、ＤＶＤ用の第２光１０ｂの波長λ２に対しては整数倍に近い０．０２λ２の位相差が生じ、ＣＤ用の第３光１０ｃの波長λ３に対しては０．３１λ３の位相差が生じる。
【００８０】
このように、第２位相補正器３０を光学媒質としてＥＦＤ８＿ＨＯＹＡを使用して階段段差ｓ２を３．８３μｍ、パターンを３階段構造に形成すれば、ＨＤ−ＤＶＤ用の第１光１０ａとＤＶＤ用の第２光１０ｂは第２位相補正器３０を通過しつつ位相差変化がほとんど生じない一方で、ＣＤ用の第３光１０ｃは第２位相補正器３０を通過しつつ位相差変化が生じる。従って、第２位相補正器３０にＣＤ用の第３光１０ｃに対して収差を相殺できる位相差変化を生じさせるべくパターンを形成すれば、ＣＤ用の第３光１０ｃに対する収差の補正が可能である。
【００８１】
一方、図８はＤＶＤ採用時に補正しなければならない球面収差に該当する位相差を２次元で示した図である。図９は図８に示された位相差（収差）を補正するために４−階段構造にパターンが形成された第１位相補正器２０で生じる位相差変化を２次元で示した図である。図１０は図８及び図９を重ねて描いた１次元位相差断面を示す。図８及び図１０に示された補正しなければならない位相差はＤＶＤ採用時に生じる収差に対する位相差を逆像に示したものである。図１０にて横軸は図８及び図９の横軸と同一スケールを示し、縦軸は波長がλ２の第２光１０ｂに対する位相差を示す。
【００８２】
図１０から分かるように、前述の如く本発明による第１位相補正器２０によれば、ＤＶＤ採用時に発生する収差を十分に補正できる。
【００８３】
この時、第１位相補正器２０に形成されるパターンの階段段差ｓ１の大きさがＨＤ−ＤＶＤ用の第１光１０ａの波長λ１の整数倍の値、ＣＤ用の第３光１０ｃの波長λ３の整数倍の値とは前述の誤差範囲内で微小な差がある。従って、ＣＤ記録及び／または再生時には図１１Ａに示されたように第１位相補正器２０による位相差が残存しうる。また、ＨＤ−ＤＶＤ記録及び／または再生時には図１１Ｂに示されたように第１位相補正器２０による位相差が残存しうる。図１１Ａ及び図１１Ｂでのように第１及び第３光１０ａ，１０ｃに対して第１位相補正器２０により位相差が残存するが、かかる残存する位相差による収差量は表４から分かるように、０．０３５λよりはるかに小さい値であり、十分に許容可能な程度である。ここで、図１１Ａ及び図１１Ｂにて横軸は図１０の横軸と同一スケールを示し、縦軸は波長がλ１，λ３の第１及び第３光１０ａ，１０ｃに対する位相差を示す。
【００８４】
図１２はＣＤ採用時に補正しなければならない球面収差に該当する位相差を２次元で示した図である。図１３は図１２の位相差（収差）を補正するために３階段構造にパターンが形成された第２位相補正器３０で生じる位相差変化を２次元で示した図である。図１４は図１２及び図１３を重ねて描いた１次元位相差断面を示す。図１４にて横軸は図１２及び図１３の横軸と同一スケールを示し、縦軸は波長がλ３の第３光１０ｃに対する位相差を示す。
【００８５】
図１４から分かるように、前述のような本発明による第２位相補正器３０によれば、ＣＤ採用時に生じる収差を十分に補正できる。
【００８６】
この時、第２位相補正器３０に形成されるパターンの階段段差ｓ２の大きさが第１位相補正器２０と類似し、ＨＤ−ＤＶＤ用の第１光１０ａの波長λ１の整数倍の値、ＤＶＤ用の第２光１０ｂの波長λ２の整数倍の値とは前述の誤差範囲内で微小な差がある。従って、ＤＶＤ記録及び／または再生時には図１５Ａに示されたように第２位相補正器３０による位相差が残存しうる。また、ＨＤ−ＤＶＤ記録及び／または再生時には図１５Ｂに示されたように第２位相補正器３０による位相差が残存しうる。図１５Ａ及び図１５Ｂでのように、第１及び第２光１０ｂに対して第２位相補正器３０により位相差が残存するが、かかる残存する位相差による収差量は表４から分かるように、十分に許容可能な程度である。ここで、図１５Ａ及び図１５Ｂにて横軸は図１４の横軸と同一スケールを示し、縦軸は波長がλ１，λ２の第１及び第２光１０ａ，１０ｂに対する位相差を示す。
【００８７】
以上では本発明による位相補正器が光学媒質に階段型構造のパターンを形成した構造よりなるものを例として説明及び図示されたが、式（４）及び（５）の条件を満足する多様な変形が可能である。例えば、本発明による位相補正器で、式（４）及び（５）の条件を満足するように製作及び駆動され、特定の１波長光については位相補正機能を行い、残りの２波長光はほとんどそのまま透過させるように形成された液晶パネルを備えることも可能である。
【００８８】
一方、以上では本発明による位相補正器が３種類の波長光を用い、厚さが相異なる第１ないし第３光ディスクを互換採用できる互換型光ピックアップに適用されるもので説明及び図示されたが、必ずしもこれに限定されず、３種類の波長光を利用して波長により選択的な収差補正を必要とする多様な光学システムに応用できる。
【００８９】
【発明の効果】
前記のような本発明によれば、位相補正器は３種類の波長光のうちいずれか一つの波長光に対してだけ入射される光の位相を補正し、残りの波長光はほとんどそのまま進める。
【００９０】
本発明による互換型光ピックアップは、光ディスクの厚さ差による球面収差及び／または使われる光の波長差による色収差などの収差を補正できるように、相異なる１波長光に対して位相を補正する１対の位相補正器を備えるので、単一対物レンズだけを使用しても厚さが相異なる３種類の光ディスクを互換して記録及び／または再生できる。
【図面の簡単な説明】
【図１】本発明による互換型光ピックアップを概略的に示した図である。
【図２】図１の互換型光ピックアップに採用される第１及び第２位相補正器の一実施形態を説明するための図である。
【図３】図１の第１位相補正器の光学媒質としてＢＫ７を使用する時、階段段差ｓ１の大きさによるＨＤ−ＤＶＤ用の第１光の波長λ１とＣＤ用の第３光の波長λ３とについて位相差を示したグラフである。
【図４】本発明の一実施形態による互換型光ピックアップの光学的構成図を概略的に示した図である。
【図５Ａ】表２の設計データを有する対物レンズで図１の第１ないし第３光を集束してＨＤ−ＤＶＤ，ＤＶＤ，ＣＤにフォーカシングする時の光路を示した図である。
【図５Ｂ】表２の設計データを有する対物レンズで図１の第１ないし第３光を集束してＨＤ−ＤＶＤ，ＤＶＤ，ＣＤにフォーカシングする時の光路を示した図である。
【図５Ｃ】表２の設計データを有する対物レンズで図１の第１ないし第３光を集束してＨＤ−ＤＶＤ，ＤＶＤ，ＣＤにフォーカシングする時の光路を示した図である。
【図６】図１の第１位相補正器の光学媒質としてＥＦＤ４＿ＨＯＹＡを使用する時、階段段差ｓ１の大きさによるＨＤ−ＤＶＤ用の第１光の波長λ１とＣＤ用の第３光の波長λ３とについて位相差を示したグラフである。
【図７】図１の第２位相補正器の光学媒質としてＥＦＤ８＿ＨＯＹＡを使用する時、階段段差ｓ２の大きさによるＨＤ−ＤＶＤ用の第１光の波長λ１とＤＶＤ用の第２光の波長λ２とについて位相差を示したグラフである。
【図８】ＤＶＤ採用時に補正しなければならない球面収差に該当する位相差を２次元で示した図である。
【図９】図８に示された位相差（収差）を補正するために４階段構造にパターンが形成された第１位相補正器で生じる位相差変化を２次元で示した図である。
【図１０】図８及び図９を重ねて描いた１次元位相差断面を示した図である。
【図１１Ａ】ＣＤ記録及び／または再生時に第１位相補正器により残存する位相差を示した図である。
【図１１Ｂ】ＨＤ−ＤＶＤ記録及び／または再生時に第１位相補正器により残存する位相差を示した図である。
【図１２】ＣＤ採用時に補正しなければならない球面収差に該当する位相差を２次元で示した図である。
【図１３】図１２の位相差（収差）を補正するために３階段構造にパターンが形成された第２位相補正器で生じる位相差変化を２次元で示した図である。
【図１４】図１２及び図１３を重ねて描いた１次元位相差断面を示した図である。
【図１５Ａ】ＤＶＤ記録及び／または再生時に、第２位相補正器により残存する位相差を示した図である。
【図１５Ｂ】ＨＤ−ＤＶＤ記録及び／または再生時に、第２位相補正器により残存する位相差を示した図である。
【符号の説明】
１０  光ユニット
１０ａ，１０ｂ，１０ｃ  第１ないし第３光
２０  第１位相補正器
２５，３５  第１及び第２開口フィルタ
２５ａ，３５ａ  リング部
５０ａ，５０ｂ，５０ｃ  第１ないし第３光ディスク
３０  第２位相補正器
４０  対物レンズ
【図１】
0003970747.tif 000013
【図２】
0003970747.tif 000014
【図３】
0003970747.tif 000015
【図４】
0003970747.tif 000016
【図５Ａ】
0003970747.tif 000017
【図５Ｂ】
0003970747.tif 000018
【図５Ｃ】
0003970747.tif 000019
【図６】
0003970747.tif 000020
【図７】
0003970747.tif 000021
【図８】
0003970747.tif 000022
【図９】
0003970747.tif 000023
【図１０】
0003970747.tif 000024
【図１１Ａ】
0003970747.tif 000025
【図１１Ｂ】
0003970747.tif 000026
【図１２】
0003970747.tif 000027
【図１３】
0003970747.tif 000028
【図１４】
0003970747.tif 000029
【図１５Ａ】
0003970747.tif 000030
【図１５Ｂ】
0003970747.tif 000031